(57)【要約】【課題】ＭＣＳ割り当てを行う際に、パケット誤り率を最小限に抑える最適なＭＣＳ割り当てが行えるようになるまでに要する時間を短縮すること。【解決手段】スケジューリング部１２０は、ＭＣＳ割り当ての調整に要する期間、特定の移動局に対して単位時間当たりのパケット送信回数を多くしてデータを送信するスケジューリングを行う。ＭＣＳ割り当て部１１８は、回線品質に基づいて、ＭＣＳ割り当てを行う。また、移動局がパケットを受信する毎に移動局から送信されるＡＣＫ／ＮＡＣＫを受信し、ＮＡＣＫ受信率（パケット誤り率）に基づいてＭＣＳ割り当ての基準を調整する。【選択図】　　　図１
2004040314.tif 000002
【特許請求の範囲】
【請求項１】
送信データに対して、対応する通信相手局との間の回線品質に応じた変調処理及び符号化処理を施して得たパケットデータを、パケットデータ送信用のチャネルを用いて通信相手局に送信する無線通信装置において、
前記通信相手局が前記パケットデータを受信する毎に前記通信相手局から送信される情報に基づいて、変調方式及び符号化率を割り当てる変調符号化割り当て手段と、
前記変調符号化割り当て手段の割り当てに従って、前記通信相手局に送信するデータに変調処理及び符号化処理を行う変調符号化手段と、
前記変調符号化割り当て手段の調整に要する期間、特定の通信相手局に対して送信する前記パケットデータを単位時間内で分散させて送信する割り当てを行う送信割り当て手段と、
前記送信割り当て手段の割り当てに従って、前記通信相手局に前記パケットデータを送信する送信手段と、
を具備することを特徴とする無線通信装置。
【請求項２】
送信データに対して、対応する通信相手局との間の回線品質に応じた変調処理及び符号化処理を施して得たパケットデータを、パケットデータ送信用のチャネルを用いて前記通信相手局に送信する無線通信装置において、
前記通信相手局が変調方式及び符号化率の割り当ての調整に要する期間、前記通信相手局に対して送信する前記パケットデータを単位時間内で分散させて送信する割り当てを行う送信割り当て手段と、
前記送信割り当て手段の割り当てに従って、前記通信相手局に前記パケットデータを送信する送信手段と、
を具備することを特徴とする無線通信装置。
【請求項３】
新規接続の通信相手局であるか通信中の通信相手局であるかを判定する新規接続判定手段を具備し、
前記送信割り当て手段は、前記変調符号化割り当て手段の調整に要する期間、前記新規接続判定手段で新規接続であると判定された通信相手局に対して送信するパケットデータを単位時間内で分散させて送信する割り当てを行う
ことを特徴とする請求項１に記載の無線通信装置。
【請求項４】
前記送信割り当て手段は、新規接続であると判定された通信相手局に送信するデータ量が所定量以上の場合のみ、前記変調符号化割り当て手段の調整に要する期間、前記新規接続であると判定された通信相手局に対して送信するパケットデータを単位時間内で分散させて送信する割り当てを行うことを特徴とする請求項３に記載の無線通信装置。
【請求項５】
前記送信割り当て手段は、新規接続であると判定された通信相手局に送信するデータの許容遅延時間が所定時間以上の場合、前記変調符号化割り当て手段の調整に要する期間、前記新規接続であると判定された通信相手局に対して送信するパケットデータを単位時間内で分散させて送信する割り当てを行うことを特徴とする請求項３に記載の無線通信装置。
【請求項６】
前記送信割り当て手段は、新規接続であると判定された通信相手局に送信するデータの許容遅延時間が所定時間未満の場合、前記変調符号化割り当て手段の調整に要する期間、前記許容遅延時間を超えない範囲内で、特定の通信相手局に対して送信するパケットデータを単位時間内で分散させて送信する割り当てを行うことを特徴とする請求項３に記載の無線通信装置。
【請求項７】
通信相手局がパケットデータを受信する毎に前記通信相手局から送信される情報に基づいて、前記通信相手局でのパケット誤り率を監視するパケット誤り率監視手段を具備し、
前記送信割り当て手段は、前記変調符号化割り当て手段の調整に要する期間、前記パケット誤り率が所定の閾値を越えた通信相手局に対して送信するパケットデータを単位時間内で分散させて送信する割り当てを行う
ことを特徴とする請求項１から請求項６のいずれかに記載の無線通信装置。
【請求項８】
通信相手局から送信されたパケットデータを受信する無線通信装置において、
前記通信相手局が変調方式及び符号化率の割り当ての調整に要する期間、前記通信相手局が送信する前記パケットデータを単位時間内で分散させて割り当てを行う送信割り当て手段と、
前記送信割り当て手段の割り当てに従って、前記通信相手局から送信された前記パケットデータを受信する受信手段と、
を具備することを特徴とする無線通信装置。
【請求項９】
通信相手局がパケットデータを受信する毎に前記通信相手局から送信される情報に基づいて、変調方式及び符号化率を割り当てる変調符号化割り当て工程と、
前記変調符号化割り当て工程の調整に要する期間、特定の通信相手局に対して送信する前記パケットデータを単位時間内で分散させて送信する割り当てを行う送信割り当て工程と、を具備することを特徴とする送信割り当て制御方法。
【発明の詳細な説明】
【０００１】
【発明の属する技術分野】
本発明は、回線品質に応じて適応的に変調方式、符号化率等を変えて高速パケット伝送を行う無線通信装置及び当該無線通信装置内で行われる送信割り当て制御方法に関する。
【０００２】
【従来の技術】
従来、より高速なＩＭＴ−２０００のパケット伝送方式として、下りのピーク伝送速度の高速化、低伝送遅延、高スループット化等を目的としたＨＳＤＰＡ（Ｈｉｇｈ　Ｓｐｅｅｄ　Ｄｏｗｎｌｉｎｋ　Ｐａｃｋｅｔ　Ａｃｃｅｓｓ）と呼ばれる方式が検討されている。そして、ＨＳＤＰＡを支援する技術として、３ＧＰＰ（３ｒｄ　Ｇｅｎｅｒａｔｉｏｎ　ＰａｒｔｎｅｒｓｈｉｐＰｒｏｊｅｃｔ）ＴＲ２５．８４８　”Ｐｈｙｓｉｃａｌ　ｌａｙｅｒ　ａｓｐｅｃｔｓ　ｏｆ　ＵＴＲＡ　Ｈｉｇｈ　Ｓｐｅｅｄ　Ｄｏｗｎｌｉｎｋ　Ｐａｃｋｅｔ　Ａｃｃｅｓｓ、ＴＲ２５．８５８　”ＨＳＤＰＡ　Ｐｈｙｓｉｃａｌ　Ｌａｙｅｒ　Ａｓｐｅｃｔｓ”には、ＡＭＣ（Ａｄａｐｔｉｖｅ　Ｍｏｄｕｌａｔｉｏｎ　ａｎｄ　Ｃｏｄｉｎｇ：適応変調符号化方式）と呼ばれる伝送方式が開示されている。
【０００３】
ＨＳＤＰＡは、１つの物理チャネルを複数の移動局で時間分割により共有して使用する。このため、基地局は、ある時点でどの移動局に対して情報を伝送するか回線品質に基づいて決定する。
【０００４】
ＡＭＣ技術は、回線品質の変動に応じて、変調方式や誤り訂正符号化レートを適応的にかつ高速に変更する技術である。ＡＭＣ技術では、回線品質が良好なほど、高速の変調方式を用い、誤り訂正符号化レートを大きくすることで、伝送レートを高速にする。伝送レートに関係するものとして、変調方式（例えば、ＱＰＳＫ（Ｑｕａｄｒａｔｕｒｅ　Ｐｈａｓｅ　Ｓｈｉｆｔ　Ｋｅｙｉｎｇ）や１６ＱＡＭ（Ｑｕａｄｒａｔｕｒｅ　Ａｍｐｌｉｔｕｄｅ　Ｍｏｄｕｌａｔｉｏｎ））、符号化レート（例えば、１／３でターボ符号化し、パンクチャ（ｐｕｎｃｔｕｒｅ）またはリピティション（ｒｅｐｅｔｉｔｉｏｎ）することで符号化率を変更する）が検討されている。ＡＭＣ技術においても、基地局は、回線品質に基づいて変調方式と符号化レート（ＭＣＳ：Ｍｏｄｕｌａｔｉｏｎ　ａｎｄ　Ｃｏｄｉｎｇ　Ｓｃｈｅｍｅ）などを移動局毎に割り当てている。
【０００５】
具体的には、移動局（または基地局）は、下りの回線品質を測定し、基地局では情報を伝送すべき移動局に最適な伝送レートを測定された回線品質に応じて決定（ＭＣＳ割り当て）し、情報伝送する。
【０００６】
回線品質情報としては、例えば、品質に基づいたＣＱＩ（Ｃｈａｎｎｅｌ　Ｑｕａｌｉｔｙ　Ｉｎｄｉｃａｔｏｒ）、移動局で測定された共通パイロットチャネル（ＣＰＩＣＨ：Ｃｏｍｍｏｎ　ＰＩｌｏｔ　ＣＨａｎｎｅｌ）のＣＩＲ（Ｃａｒｒｉｅｒ　ｔｏ　Ｉｎｔｅｒｆｅｒｅｎｃｅ　Ｒａｔｉｏ）やＳＩＲ（Ｓｉｇｎａｌｔｏ　Ｉｎｔｅｒｆｅｒｅｎｃｅ　Ｒａｔｉｏ）、送信電力制御されている個別チャネル（例えば、ＤＰＣＨ（Ｄｅｄｉｃａｔｅｄ　Ｐｈｙｓｉｃａｌ　Ｃｈａｎｎｅｌ））の送信電力などが用いられる。
【０００７】
回線品質情報として用いられるＣＱＩは、通信中の基地局に対して移動局が受信可能な伝送レート等を通知する情報であり、移動局における受信品質に基づいて決定される。
【０００８】
ＭＣＳの割り当ては、回線品質情報等に基づいて行われるが、実際に割り当てられたＭＣＳで送信したデータが、移動局で復号できたかはわからない。そこで、移動局は、基地局から送信されたデータを正しく受信できたか否かを判定し、判定結果を基地局に送信する。すなわち、正しく受信できた場合、肯定応答信号（ＡＣＫ：ＡＣＫｎｏｗｌｅｄｇｅｍｅｎｔ）を基地局に送信する。一方、正しく受信できなかった場合、否定応答信号（ＮＡＣＫ：Ｎｅｇａｔｉｖｅ　ＡＣＫｎｏｗｌｅｄｇｍｅｎｔ）を基地局に送信する。
【０００９】
基地局は、移動局から送信されたＮＡＣＫを受信した割合、すなわち、パケット誤り率が適切となるようにＭＣＳ割り当てを調整する。
【００１０】
【発明が解決しようとする課題】
しかしながら、基地局が最適なＭＣＳ割り当てを行うためには、ＡＣＫ及びＮＡＣＫの受信回数（あるいはデータの受信回数）から統計的に判断するなどして調整を行うが、統計的に有意となるためには、ＡＣＫ／ＮＡＣＫの受信回数（あるいはデータの受信回数）をある程度多く必要とするので、長い時間を費やしてしまう。以下に、基地局が最適なＭＣＳ割り当てを行うまでに長い時間を費やしてしまう理由について、図を用いて説明する。
【００１１】
図８は、スケジューリング情報を示す概念図である。この図において、縦軸は多重コード数を、横軸は時間をそれぞれ表している。また、Ａ〜Ｅは、個別のユーザ（移動局）を表しており、時間Ｔ０からＴ１では、ユーザＡに割り当てコード数５でデータを送信している。時間Ｔ１以降も同様に時間分割し、決まった時間に特定のユーザに全てのコードを割り当ててデータを送信している。
【００１２】
図８の場合、ユーザＡ（移動局Ａ）に着目すると、基地局がＴ０からＴ１で送信（１回目とする）したデータを移動局Ａで受信し、移動局Ａは受信したデータが復号できたか否かを判定し、判定結果（ＡＣＫ又はＮＡＣＫ）を基地局に送信する。次に、基地局がユーザＡにデータを送信（２回目）するのはＴ５からＴ６であり、移動局はＴ０からＴ１０の間で２回しかＡＣＫ／ＮＡＣＫを送信することができない。このため、図８のようなスケジューリングでは、基地局がＡＣＫ／ＮＡＣＫの受信回数に基づいて統計的に判断したうえでＭＣＳ割り当て基準の調整を行って、最適なＭＣＳ割り当て、すなわち、基地局でのＮＡＣＫ受信率を最小限に抑えるＭＣＳ割り当てを行えるようになるには、長い時間を費やしてしまう。
【００１３】
本発明はかかる点に鑑みてなされたものであり、ＭＣＳ割り当てを行う際に、パケット誤り率を最小限に抑える最適なＭＣＳ割り当てが行えるようになるまでに要する時間を短縮する無線通信装置及び送信割り当て制御方法を提供することを目的とする。
【００１４】
【課題を解決するための手段】
かかる課題を解決するため、本発明の無線通信装置は、送信データに対して、対応する通信相手局との間の回線品質に応じた変調処理及び符号化処理を施して得たパケットデータを、パケットデータ送信用のチャネルを用いて通信相手局に送信する無線通信装置において、前記通信相手局が前記パケットデータを受信する毎に前記通信相手局から送信される情報に基づいて、変調方式及び符号化率を割り当てる変調符号化割り当て手段と、前記変調符号化割り当て手段の割り当てに従って、前記通信相手局に送信するデータに変調処理及び符号化処理を行う変調符号化手段と、前記変調符号化割り当て手段の調整に要する期間、特定の通信相手局に対して送信する前記パケットデータを単位時間内で分散させて送信する割り当てを行う送信割り当て手段と、前記送信割り当て手段の割り当てに従って、前記通信相手局に前記パケットデータを送信する送信手段と、を具備する構成を採る。
【００１５】
この構成によれば、無線通信装置は、変調符号化割り当て手段と送信割り当て手段を具備しており、変調符号化割り当て手段の調整に要する期間、特定の通信相手局に対して単位時間当たりのパケット送信回数を多くしているので、通信相手局で受信したパケット毎に通信相手局から送信される情報を無線通信装置が単位時間当たりに取得する回数が多くなる。この結果、変調方式及び符号化率の割り当ては、無線通信装置が通信相手局から送信された情報を取得した回数に応じて精度を高められるので、変調方式及び符号化率の割り当てが最適に行えるようになるまでの時間を短縮することができる。
【００１６】
本発明の無線通信装置は、送信データに対して、対応する通信相手局との間の回線品質に応じた変調処理及び符号化処理を施して得たパケットデータを、パケットデータ送信用のチャネルを用いて前記通信相手局に送信する無線通信装置において、前記通信相手局が変調方式及び符号化率の割り当ての調整に要する期間、前記通信相手局に対して送信する前記パケットデータを単位時間内で分散させて送信する割り当てを行う送信割り当て手段と、前記送信割り当て手段の割り当てに従って、前記通信相手局に前記パケットデータを送信する送信手段と、を具備する構成を採る。
【００１７】
この構成によれば、無線通信装置は、送信割り当て手段を具備しており、例えば、通信相手局が変調方式及び符号化率の割り当てを行う場合、この割り当て制御が無線通信装置から送信されたデータ受信回数に応じて精度を高めるとき、この通信相手局に対して送信するデータを単位時間内で分散させて送信することにより、単位時間当たりの送信回数を多くすることができる。この結果、通端相手局における変調方式及び符号化率の割り当てが最適に行えるようになるまでの時間を短縮することができる。
【００１８】
本発明の無線通信装置は、新規接続の通信相手局であるか通信中の通信相手局であるかを判定する新規接続判定手段を具備し、前記送信割り当て手段は、前記変調符号化割り当て手段の調整に要する期間、前記新規接続判定手段で新規接続であると判定された通信相手局に対して送信するパケットデータを単位時間内で分散させて送信する割り当てを行う構成を採る。
【００１９】
この構成によれば、変調符号化割り当て手段の調整に要する期間、新規接続の通信相手局に対して単位時間当たりのパケット送信回数を多くすることができるので、変調方式及び符号化率の割り当てが適していない可能性が高い新規接続の通信相手局でも、変調方式及び符号化率の割り当てを通信開始から短い時間で正確に調整することができる。
【００２０】
本発明の無線通信装置は、前記送信割り当て手段が、新規接続であると判定された通信相手局に送信するデータ量が所定量以上の場合のみ、前記変調符号化割り当て手段の調整に要する期間、前記新規接続であると判定された通信相手局に対して送信するパケットデータを単位時間内で分散させて送信する割り当てを行う構成を採る。
【００２１】
この構成によれば、新規接続と判定された通信相手局であっても、この通信相手局に送信するデータ量が少ない場合には、変調符号化割り当て手段の調整に要する期間、この通信相手局に対して単位時間当たりのパケット送信回数を多くし、最適な変調方式及び符号化率の割り当てを行おうとしても、この割り当てが調整される頃には送信するデータがなくなっているおそれがあるので、新規接続と判定された通信相手局に送信するデータ量が所定量以上の場合のみ、この通信相手局に対して単位時間当たりのパケット送信回数を多くすることにより、効率のよいスケジューリングを行うことができる。
【００２２】
本発明の無線通信装置は、前記送信割り当て手段が、新規接続であると判定された通信相手局に送信するデータの許容遅延時間が所定時間以上の場合、前記変調符号化割り当て手段の調整に要する期間、前記新規接続であると判定された通信相手局に対して送信するパケットデータを単位時間内で分散させて送信する割り当てを行う構成を採る。
【００２３】
この構成によれば、新規接続と判定された通信相手局であっても、この通信相手局に送信するデータの許容遅延時間が短い場合には、変調符号化割り当て手段の調整に要する期間、この通信相手局に対して単位時間当たりのパケット送信回数を多くすると、１回で送信するデータ量が少なくなり、許容遅延時間を超えてしまうおそれがあるが、これを回避することができる。
【００２４】
本発明の無線通信装置は、前記送信割り当て手段が、新規接続であると判定された通信相手局に送信するデータの許容遅延時間が所定時間未満の場合、前記変調符号化割り当て手段の調整に要する期間、前記許容遅延時間を超えない範囲内で、特定の通信相手局に対して送信するパケットデータを単位時間内で分散させて送信する割り当てを行う構成を採る。
【００２５】
この構成によれば、新規接続と判定された通信相手局であっても、この通信相手局に送信するデータの許容遅延時間が短い場合には、変調符号化割り当て手段の調整に要する期間、この通信相手局に対して単位時間当たりのパケット送信回数を多くすると、１回で送信するデータ量が少なくなり、許容遅延時間を超えてしまうおそれがあるが、許容遅延時間を超えない範囲で単位時間当たりのパケット送信回数を多くすることができるので、効率のよいスケジューリングを行いつつ、変調方式及び符号化率の割り当てを短い時間で正確に調整することができる。
【００２６】
本発明の無線通信装置は、通信相手局がパケットデータを受信する毎に前記通信相手局から送信される情報に基づいて、前記通信相手局でのパケット誤り率を監視するパケット誤り率監視手段を具備し、前記送信割り当て手段は、前記変調符号化割り当て手段の調整に要する期間、前記パケット誤り率が所定の閾値を越えた通信相手局に対して送信するパケットデータを単位時間内で分散させて送信する割り当てを行う構成を採る。
【００２７】
この構成によれば、通信中の通信相手局のパケット誤り率が所定の閾値を越えた場合、変調符号化割り当て手段の調整に要する期間、新規接続の通信相手局に対して単位時間当たりのパケット送信回数を多くしてデータを送信することにより、通信相手局で受信したパケット毎に通信相手局から送信される情報を単位時間当たりに取得する回数が多くなり、これに基づいて変調方式及び符号化率の割り当てを短時間で調整し、正確な変調方式及び符号化率の割り当てを行うことによって、移動局でのパケット誤り率を抑えることができる。
【００２８】
本発明の無線通信装置は、通信相手局から送信されたパケットデータを受信する無線通信装置において、前記通信相手局が変調方式及び符号化率の割り当ての調整に要する期間、前記通信相手局が送信する前記パケットデータを単位時間内で分散させて割り当てを行う送信割り当て手段と、前記送信割り当て手段の割り当てに従って、前記通信相手局から送信された前記パケットデータを受信する受信手段と、を具備する構成を採る。
【００２９】
この構成によれば、無線通信装置において、通信相手局が送信するパケットデータを単位時間内で分散させて割り当てを行うことにより、通信相手局が単位時間当たりのパケットデータの送信回数を多くすることができる。この結果、無線通信装置においてパケットを受信する毎に得られる情報に基づいて、無線通信装置又は通信相手局において変調方式及び符号化率の割り当てを行う際、変調方式及び符号化率の割り当てが最適に行えるようになるまでの時間を短縮することができる。
【００３０】
本発明の送信割り当て制御方法は、通信相手局がパケットデータを受信する毎に前記通信相手局から送信される情報に基づいて、変調方式及び符号化率を割り当てる変調符号化割り当て工程と、前記変調符号化割り当て工程の調整に要する期間、特定の通信相手局に対して送信する前記パケットデータを単位時間内で分散させて送信する割り当てを行う送信割り当て工程と、を具備するようにした。
【００３１】
この方法によれば、変調符号化割り当て工程の調整に要する期間、特定の通信相手局に対して単位時間当たりのパケット送信回数を多くしているので、通信相手局で受信したパケット毎に通信相手局から送信される情報を無線通信装置が単位時間当たりに取得する回数が多くなる。この結果、変調方式及び符号化率の割り当ては、無線通信装置が通信相手局から送信された情報を取得した回数に応じて精度を高められるので、変調方式及び符号化率の割り当てが最適に行えるようになるまでの時間を短縮することができる。
【００３２】
【発明の実施の形態】
本発明の骨子は、ＭＣＳ割り当ての調整に要する期間、特定の移動局に対して単位時間当たりのパケット送信回数を多くするスケジューリングを行うことである。これにより、基地局でのＮＡＣＫ受信割合（パケット誤り率）を最小限に抑える最適なＭＣＳ割り当てが行われるまでに要する時間を短縮することができる。
【００３３】
以下、本発明の実施の形態について、図面を参照して詳細に説明する。
【００３４】
（実施の形態１）
この実施の形態では、基地局が新規接続の移動局に対して単位時間当たりのパケット送信回数を多くするスケジューリングを行い、このスケジューリングに基づいてパケットを送信する場合について説明する。
【００３５】
図１は、本発明の実施の形態１に係る基地局の構成を示すブロック図である。まず、基地局１００の送信系について説明する。基地局１００は、各ユーザに対する送信データを一旦バッファ１０１に蓄積し、蓄積した送信データを送信フレーム作成部１０２でフレーム化した後、符号化部１０３に送出する。
【００３６】
基地局１００は、符号化部１０３で送信データを符号化した後、変調部１０４で符号化後の送信データを変調する。符号化部１０３及び変調部１０４は、ＭＣＳ割り当て部１１８での割り当て結果（符号化率と変調方式）に従って、それぞれ、誤り訂正符号化処理、変調処理が行われる。
【００３７】
符号化率については、パリティの部分をパンクチャまたはリピティションすることで変更し、変調方式については、例えば、ＱＰＳＫと１６ＱＡＭの中から選択する。ＭＣＳ割り当て部１１８の処理については後述する。変調後の送信データは、拡散部１０５へ出力される。
【００３８】
拡散部１０５では、通信相手局ごとに異なる拡散コードを用いて変調後の各相手局宛の送信データを拡散する。拡散後の送信データは、送信無線部１０６へ出力され、ここで、アップコンバートなどの所定の無線処理が施された後、共用器１０７を介してアンテナ１０８から無線送信される。
【００３９】
次に、基地局１００の受信系について説明する。基地局１００は、アンテナ１０８で相手局から無線送信された信号を受信して、共用器１０７を介して受信無線部１１１へ出力する。受信無線部１１１では、アンテナ１０８で受信した信号に対してダウンコンバートなどの所定の無線処理を施す。受信無線部１１１の出力信号（ベースバンド信号）は、逆拡散部１１２へ出力される。
【００４０】
逆拡散部１１２では、拡散コードを用いて受信信号を逆拡散し、復調部１１３で、逆拡散後の受信信号を復調する。復調後の受信信号は復号化部１１４へ出力される。復号化部１１４では、復調後の受信信号を復号化する。復号化された情報は報告値抽出部１１５へ出力される。
【００４１】
報告値抽出部１１５では、復号化された情報から移動局ごとの報告値を抽出する。抽出された報告値のうち回線品質を表す報告値（回線品質情報）は、ＭＣＳ割り当て部１１８に送出されると共に、スケジューリング部１２０に送出される。ここで回線品質情報とは、例えば、品質に基づいたＣＱＩ（Ｃｈａｎｎｅｌ　Ｑｕａｌｉｔｙ　Ｉｎｄｉｃａｔｏｒ）、通信相手局である通信端末で測定されたＣＰＩＣＨ（共通パイロットチャネル）のＣＩＲ（Ｃａｒｒｉｅｒ　ｔｏ　Ｉｎｔｅｒｆｅｒｅｎｃｅ　Ｒａｔｉｏ）やＳＩＲ（Ｓｉｇｎａｌ　ｔｏ　Ｉｎｔｅｒｆｅｒｅｎｃｅ　Ｒａｔｉｏ）のような情報などである。また報告値でなくても、送信電力制御されている個別チャネル（例えば、ＤＰＣＨ（Ｄｅｄｉｃａｔｅｄ　Ｐｈｙｓｉｃａｌ　Ｃｈａｎｎｅｌ））の送信電力などでも回線品質を知ることが可能である。
【００４２】
また報告値抽出部１１５では、移動局からの肯定応答信号（ＡＣＫ：ＡＣＫｎｏｗｌｅｄｇｍｅｎｔ）又は否定応答信号（ＮＡＣＫ：Ｎｅｇａｔｉｖｅ　ＡＣＫｎｏｗｌｅｄｇｍｅｎｔ）を抽出し、これをＭＣＳ割り当て部１１８及びスケジューリング部１２０に送出する。
【００４３】
スケジューリング部１２０は、上位レイヤから通知された移動局に関する情報や報告値抽出部１１５から入力された回線品質情報、ＡＣＫ／ＮＡＣＫに基づいてスケジューリングを決定し、この決定されたスケジューリング情報に基づいて送信を行うように制御する。具体的には、決定されたスケジューリング情報に合わせてバッファ１０１から送信データを出力させる。加えて、スケジューリング部１２０は、送信フレーム作成部１０２及びＭＣＳ割り当て部１１８に送信タイミングを通知する。スケジューリング部１２０の詳細については後述する。
【００４４】
変調符号化割り当て手段としてのＭＣＳ割り当て部１１８は、報告値抽出部１１５より得られた回線品質情報に基づいて、符号化率及び変調方式（ＭＣＳ）を割り当てる。このとき、報告値抽出部１１５より得られたＡＣＫ／ＮＡＣＫに基づいてパケット誤り率が最適な値になるようにＭＣＳ割り当てが調整される。なお、スケジューリング部１２０でのスケジューリングの決定及びＭＣＳ割り当て部１１８でのＭＣＳ割り当てには、両者間でのデータ交換を必要とする。また、ＭＣＳ割り当ての調整をＡＣＫ／ＮＡＣＫに基づいて行うと説明したが、これに限らず、ＭＣＳ割り当ての調整に用いられる情報であればよい。
【００４５】
ここで、スケジューリング部１２０について図を用いて説明する。図２は、本発明の実施の形態１に係るスケジューリング部１２０の内部構成を示すブロック図である。この図において、スケジューリング部１２０は、上位レイヤから移動局に関する情報（ＭＳ情報）が通知され、新規接続判定部２０１は、ＭＳ情報のうち新規接続の移動局であるかを示す情報（新規接続ＭＳ情報）に基づいて、新規接続の移動局の有無を判定し、新規接続ＭＳ情報をリソース管理部２０２及び第１スケジューリング部２０３に通知する。
【００４６】
リソース管理部２０２は、上位レイヤから通知されたＭＳ情報、すなわち、新規接続ＭＳ情報、通信中の移動局を示す接続ＭＳ情報、新規接続の移動局及び通信中の移動局に送信するデータのデータ量及び許容遅延時間に基づいて、リソース（拡散コード数、パワなど）の配分を決定し、第１スケジューリング部２０３及び第２スケジューリング部２０４にリソースを割り当てる。
【００４７】
送信割り当て手段としての第１スケジューリング部２０３は、新規接続判定部２０１から通知された新規接続ＭＳ情報が示す移動局のスケジューリングをリソース管理部２０２から割り当てられたリソースに合わせて行う。このとき、報告値抽出部１１５から出力された回線品質情報、データ量、許容遅延時間などに基づいて、単位時間当たりのパケット送信回数が多くなるようにスケジューリングを行う。ここで、単位時間当たりのパケット送信回数を多くするとは、ＭＣＳ割り当ての調整に要する期間における時間当たりのパケット送信回数を、ＭＣＳ割り当ての調整に要する期間外における時間当たりのパケット送信回数より多くすることを意味する。また、ＭＣＳ割り当ての調整に要する期間とは、ある一定時間であったり、ＭＣＳ割り当ての調整度合いを示すパラメータがある基準を満たすまでの期間であったりする。
【００４８】
第２スケジューリング部２０４は、上位レイヤから通知された接続ＭＳ情報が示す通信中の移動局のスケジューリングをリソース管理部２０２から割り当てられたリソースに合わせて行う。このとき、報告値抽出部１１５から出力された回線品質情報、データ量、許容遅延時間などに基づいて、割り当てられたリソースに合わせてスケジューリングを行う。
【００４９】
第１スケジューリング部２０３及び第２スケジューリング部２０４で決定されたスケジューリング情報は、バッファ１０１から送信データを出力させ、送信フレーム作成部１０２及びＭＣＳ割り当て部１１８に送信タイミングを通知する。
【００５０】
ここで、第１スケジューリング部２０３及び第２スケジューリング部２０４でのスケジューリングの様子について、図を用いて説明する。図３は、スケジューリング情報を示す概念図である。この図において、縦軸は多重コード数を、横軸は時間をそれぞれ表している。また、Ａ〜Ｅは、個別のユーザ（移動局）を表している。ここでは、移動局Ａ（ユーザＡ）を新規接続の移動局とする。
【００５１】
図４の場合、ユーザＡ（移動局Ａ）に着目すると、第１スケジューリング部２０３の処理によりＴ０からＴ１０の間で１０回、パケットを送信するスケジューリングが行われる。また、ユーザＢ〜Ｅについては、第２スケジューリング部２０４の処理により残りのコード全てを時間分割で個別に用いるスケジューリングが行われている。これにより、移動局Ａはパケットを受信する毎にＡＣＫ／ＮＡＣＫを基地局に送信するので、基地局は従来のスケジューリング（図８参照）に比べて、ＡＣＫ／ＮＡＣＫの単位時間当たりの受信回数が５倍になる。ＭＣＳ割り当て部１１８におけるＭＣＳ割り当ての基準は、ＮＡＣＫの受信率に基づいて調整されるので、ＡＣＫ／ＮＡＣＫの単位時間当たりの受信回数が増えると、統計的に有意な情報が短時間で得られることになり、基地局がＮＡＣＫを受信する回数を最小限に抑えられるようなＭＣＳ割り当て基準の調整を短時間で行うことができる。
【００５２】
なお、本実施の形態では、スケジューリングの一例として、図３に示すスケジューリングを例に挙げ説明したが、本発明はこれに限らず、様々なスケジューリングの方法が考えられる。
【００５３】
このように本発明の実施の形態によれば、基地局が、新規接続の移動局に対して、単位時間当たりのパケット送信回数を多くしてスケジューリングを行うことにより、移動局がパケットを受信する毎に基地局のＭＣＳ割り当てに用いられる情報を送信する回数が増え、この情報に基づいて基地局がＭＣＳ割り当ての調整を行うことで、ＭＣＳ割り当てが最適に行われている可能性が低い新規接続の移動局に対して最適なＭＣＳ割り当てを行えるようになるまでの時間を短縮することができる。
【００５４】
（実施の形態２）
この実施の形態では、新規接続の移動局に送信するデータのデータ量及び許容遅延時間に基づいて、実施の形態１で説明した単位時間当たりのパケット送信回数を多くするスケジューリングを行うか否かを判断し、スケジューリングを決定する場合について説明する。
【００５５】
本発明の実施の形態２に係る基地局の構成は、図１のスケジューリング部１２０をスケジューリング部４００に変更した点のみであるので、図１と同一の構成については、その詳細な説明は省略し、以下、スケジューリング部４００について説明する。
【００５６】
図４は、本発明の実施の形態２に係るスケジューリング部４００の内部構成を示すブロック図である。ただし、この図において、図２と共通する部分については、図２と同一の符号を付し、その詳しい説明は省略する。図４が図２と異なる点は、データ情報判定部４０１を設けた点である。
【００５７】
スケジューリング部４００は、上位レイヤから移動局に関する情報（ＭＳ情報）が通知される。新規接続判定部２０１は、ＭＳ情報のうち新規接続の移動局であるかを示す情報（新規接続情報）に基づいて、新規接続の移動局の有無を判定し、新規接続ＭＳ情報をリソース管理部２０２、第１スケジューリング部２０３、データ情報判定部４０１に通知する。
【００５８】
データ情報判定部４０１は、上位レイヤから通知されたデータ情報、すなわち、新規接続の移動局及び通信中の移動局に送信するデータのデータ量及び許容遅延時間と新規接続判定部２０１から通知された新規接続ＭＳ情報とに基づいて、第１スケジューリング部２０３による処理を行うか第２スケジューリング部２０４による処理を行うかを判定する。判定結果は、リソース管理部２０２、第１スケジューリング部２０３、第２スケジューリング部２０４に出力される。
【００５９】
ここで、データ情報判定部４０１における判定処理について図を用いて説明する。図５は、データ情報判定部４０１の判定処理の流れを示すフロー図である。この図において、ステップ（以下、「ＳＴ」と省略する）５０１では、新規接続と判定された移動局に送信するデータ量は所定量以上であるか判定される。所定量以上であると判定されればＳＴ５０２に移行し、所定量未満であると判定されればＳＴ５０３に移行する。
【００６０】
ＳＴ５０２では、送信するデータの許容遅延時間が所定時間以上であるか否かが判定される。所定時間以上であると判定されればＳＴ５０４に移行し、所定時間未満であると判定されればＳＴ５０３に移行する。
【００６１】
ＳＴ５０３では、送信するデータ量が所定量未満である場合、及び許容遅延時間が所定時間未満である場合に、第２スケジューリング部２０４によるスケジューリングが行われる。
【００６２】
これにより、移動局に送信するデータ量が少ない場合には、第１スケジューリング部２０３により単位時間当たりのパケット送信回数を多くし、最適なＭＣＳ割り当てを行おうとしても、ＭＣＳ割り当てにおいて調整が行われる頃には送信するデータがなくなっているおそれがあるので、第２スケジューリング部２０４においてスケジューリングを行うことにより、ＭＣＳ割り当ての調整に必要な処理等を考慮せず、効率のよいスケジューリングを行うことができる。
【００６３】
また、許容遅延時間が所定時間未満である場合、第１スケジューリング部２０３により単位時間当たりのパケット送信回数を多くすると、割り当てコード数が少なくなる可能性が高く、１回で送信するデータ量が少なくなり、許容遅延時間を超えてしまうおそれがある。このため、第２スケジューリング部２０４により、許容遅延時間を考慮してスケジューリングを行う方がよい。なお、許容遅延時間の短いデータには、例えば、テレビ電話等のリアルタイム性の強いサービスのデータ等が含まれる。また、どんなデータであっても時間が経過するにつれて遅延が許容できる時間は短くなる。また、許容遅延時間は、上位レイヤの制御に影響を出さないうちに正しく受信させるために必要な時間と考えても良い。
【００６４】
ＳＴ５０４では、送信するデータ量が所定量以上であり、かつ、許容遅延時間が所定時間以上である場合、第１スケジューリング部２０３による単位時間当たりのパケット送信回数が多くなるスケジューリングが行われる。
【００６５】
なお、ＳＴ５０２において、許容遅延時間が所定時間未満である場合には、ＳＴ５０３で第２スケジューリング部２０４による処理を行うと説明したが、第１スケジューリング部２０３により、許容遅延時間を超えない範囲内で単位時間当たりのパケット送信回数を多めにする処理を行ってもよい。これにより、移動局に送信するデータの許容遅延時間が短い場合には、単位時間当たりのパケット送信回数を多くすると、１回で送信するデータ量が少なくなり、許容遅延時間を超えてしまうおそれがあるが、許容遅延時間を超えない範囲で単位時間当たりのパケット送信回数を多くすることができるので、効率のよいスケジューリングを行いつつ、ＭＣＳ割り当ての際に用いられる基準を短い時間で正確に調整することができる。
【００６６】
このように本発明の実施の形態によれば、新規接続の移動局に送信するデータのデータ量及び許容遅延時間に基づいて、実施の形態１で説明した単位時間当たりのパケット送信回数を多くするスケジューリングを行うか否かを判断し、スケジューリングを行うことにより、効率のよいスケジューリングを行うことができる。
【００６７】
（実施の形態３）
この実施の形態では、通信中の移動局に対しても実施の形態１で説明した単位時間当たりのパケット送信回数を多くするスケジューリングを行うか否かを判断し、スケジューリングを決定する場合について説明する。
【００６８】
本発明の実施の形態３に係る基地局の構成は、図１のスケジューリング部１２０をスケジューリング部６００に変更した点のみであるので、図１と同一の構成については、その詳細な説明は省略し、以下、スケジューリング部６００について説明する。
【００６９】
図６は、本発明の実施の形態３に係るスケジューリング部６００の内部構成を示すブロック図である。ただし、この図において、図４と共通する部分については、図４と同一の符号を付し、その詳しい説明は省略する。図６が図４と異なる点は、パケット誤り率算出部６０１及びＭＳ情報判定部６０２を設けた点と、新規接続判定部２０１とデータ情報判定部４０１を削除した点とである。
【００７０】
報告値抽出部１１５は、復号化された情報から移動局ごとの報告値を抽出する。抽出された報告値のうち回線品質を表す報告値（回線品質情報）は、第１スケジューリング部２０３及び第２スケジューリング部２０４に送出される。また、報告値のうち移動局から送信されたＡＣＫ又はＮＡＣＫは、パケット誤り率算出部６０１に送出される。
【００７１】
パケット誤り率算出部６０１は、通信中の移動局から送信されたＡＣＫ／ＮＡＣＫを報告値抽出部１１５から取得し、ＡＣＫ及びＮＡＣＫの合計受信回数に対するＮＡＣＫの受信回数の割合（以下、「パケット誤り率」という）を算出し、算出結果をＭＳ情報判定部６０２に出力する。
【００７２】
ＭＳ情報判定部６０２は、パケット誤り率算出部６０１から出力されたパケット誤り率が所定の閾値を越えるか否かを判定し、判定結果と上位レイヤから通知されたＭＳ情報とに基づいて第１スケジューリング部２０３による処理を行わせるか第２スケジューリング部２０４による処理を行わせるかを決定する。パケット誤り率算出部６０１とＭＳ情報判定部６０２はパケット誤り率監視手段としての機能を有する。
【００７３】
上記の構成により、通信中の移動局においてパケット誤り率が増加してきて、所定の閾値を越えた場合には、最適なＭＣＳ割り当てが行われていないと判断し、ＭＣＳ割り当ての基準を調整するため、パケット誤り率が増加してきた移動局について第１スケジューリング部２０３による処理を行うことにより、単位時間当たりのパケット送信回数を増加させ、現時点において最適なＭＣＳ割り当てを行うように調整することができる。この結果、通信中の移動局においてパケット誤り率が増加してきても、短時間で最適なＭＣＳ割り当てを行えるようになり、パケット誤り率を最小限に抑えることができる。
【００７４】
このように本発明の実施の形態によれば、通信中の移動局についても実施の形態１で説明した単位時間当たりのパケット送信回数を多くするスケジューリングを行うことにより、通信中の移動局においてパケット誤り率が増加してきた場合でも、短時間で最適なＭＣＳ割り当てを行えるようになり、パケット誤り率を最小限に抑えることができる。
【００７５】
なお、本実施の形態では、パケット誤り率算出部６０１において、パケット誤り率を算出したが、本発明はこれに限らず、基地局から送信されたデータを移動局で正しく受信できたか否かを示す指数であれば何でもよく、この指数に応じてＭＳ情報判定部６０２で判定することは言うまでもない。
【００７６】
（その他の実施の形態）
実施の形態１の図３で示したスケジューリングの方法は一例に過ぎず、他にも様々なスケジューリングが考えられる。例えば、図７のような例である。図７は、スケジューリング情報を示す概念図である。この図において、縦軸は多重コード数を、横軸は時間をそれぞれ表している。また、Ａ〜Ｅは、個別のユーザ（移動局）を表している。
【００７７】
図７の例では、時間Ｔ０からＴ５の間でユーザＡ〜Ｅそれぞれが、第１スケジューリング部２０３により、単位時間当たりのパケット送信回数を多くするスケジューリングが行われている。Ｔ５からＴ１０の間では、第２スケジューリング部２０４により全てのコードを単一のユーザに割り当て、時間分割で個別のユーザに送信している。
【００７８】
これにより、Ｔ０からＴ５の間では各ユーザにパケットを送信する回数を多くすることができ、基地局は送信したパケットに対する各移動局からのＡＣＫ／ＮＡＣＫの受信回数も短時間で多くなる。基地局では、移動局からのＡＣＫ／ＮＡＣＫの受信率に基づいてＭＣＳ割り当てに用いられる基準の調整を行うので、短時間で最適なＭＣＳ割り当てを行うことができるようになる。
【００７９】
なお、上記各実施の形態では、ＭＣＳ割り当ての制御を中心に説明したが、本発明はこれに限らず、移動局が回線品質情報としてＣＱＩを決定し、基地局に送信する場合において、基地局が単位時間当たりのパケット送信回数を多くすることにより、移動局がＣＱＩを決定する際の基準を調整するのに要する時間を短縮することができるなど、送信回数を増やすことで通信に関する制御の効率が上がるのであればどのような制御でもよい。
【００８０】
また、上記各実施の形態では、基地局でのスケジューリングについて説明したが、本発明はこれに限らず、移動局が自律的に送信を行う場合、移動局は単位時間当たりのパケット送信回数を多くして送信を行ってもよい。また、基地局が、単位時間当たりの上りパケットデータの送信回数を多くするスケジューリングを決定し、決定したスケジューリング情報を移動局に通知することで、移動局は通知されたスケジューリング情報に従って上りパケットデータを送信してもよい。これにより、通信相手局が単位時間当たりの上りパケットデータの送信回数を多くすることができ、無線基地局装置において上りパケットを受信する毎に得られる情報に基づいて、無線基地局装置又は通信相手局において変調方式及び符号化率の割り当てを行う際、変調方式及び符号化率の割り当てが最適に行えるようになるまでの時間を短縮することができる。この場合においても、ＣＱＩの決定等の通信に関する制御の調整にも役立つことはいうまでもない。
【００８１】
【発明の効果】
以上説明したように、本発明によれば、ＭＣＳ割り当ての調整に要する期間、特定の移動局に対して単位時間当たりのパケット送信回数を多くするスケジューリングを行うことにより、基地局でのＮＡＣＫ受信割合（パケット誤り率）を最小限に抑える最適なＭＣＳ割り当てが行われるまでに要する時間を短縮することができる。
【図面の簡単な説明】
【図１】本発明の実施の形態１に係る基地局の構成を示すブロック図
【図２】本発明の実施の形態１に係るスケジューリング部の内部構成を示すブロック図
【図３】スケジューリング情報を示す概念図
【図４】本発明の実施の形態２に係るスケジューリング部の内部構成を示すブロック図
【図５】本発明の実施の形態２に係るデータ情報判定部の判定処理の流れを示すフロー図
【図６】本発明の実施の形態３に係るスケジューリング部の内部構成を示すブロック図
【図７】スケジューリング情報を示す概念図
【図８】従来におけるスケジューリング情報を示す概念図
【符号の説明】
１００　基地局
１０１　バッファ
１０２　送信フレーム作成部
１０３　符号化部
１０４　変調部
１０５　拡散部
１０６　送信無線部
１０７　共用器
１０８　アンテナ
１１１　受信無線部
１１２　逆拡散部
１１３　復調部
１１４　復号化部
１１５　報告値抽出部
１１８　ＭＣＳ割り当て部
１２０、４００、６００　スケジューリング部
２０１　新規接続判定部
２０２　リソース管理部
２０３　第１スケジューリング部
２０４　第２スケジューリング部
４０１　データ情報判定部
６０１　パケット誤り率算出部
６０２　ＭＳ情報判定部
【図１】
2004040314.tif 000003
【図２】
2004040314.tif 000004
【図３】
2004040314.tif 000005
【図４】
2004040314.tif 000006
【図５】
2004040314.tif 000007
【図６】
2004040314.tif 000008
【図７】
2004040314.tif 000009
【図８】
2004040314.tif 000010